(57)【要約】      （修正有）【課題】静止側構成要素と、回転軸線を有する相対的回転側構成要素との間をシールするリーフシールを提供する。【解決手段】使用時に静止側構成要素内で、互いに軸線方向に隔てられた、より高圧の上流側区画４２９と、より低圧の下流側区画４３０とを画成するリーフシール４１０である。このリーフシール４１０は、静止側構成要素に対して取り付けるための根元端部４１６と、回転側構成要素とワイピング接触するための自由端部４１８と、根元端部から自由端部まで延びる上流側縁部４２０と、根元端部から自由端部まで延びる下流側縁部４２２とを有するリーフ要素４１２を複数備える。リーフ要素４１２における、根元端部４１６での上流側縁部４２０と下流側縁部４２２との間の幅がａであり、自由端部４１８での上流側縁部４２０と下流側縁部４２２との間の幅がｂ＜０．５ａとなるｂである。【選択図】図４
2013249844.tif 000002
【特許請求の範囲】
【請求項１】
静止側構成要素と、回転軸線を有する相対的回転側構成要素との間をシールするためのリーフシールであって、使用時に、互いに軸線方向に隔てられた、より高圧の上流側区画と、より低圧の下流側区画とを内部に画成し、
前記静止側構成要素に対して取り付けるための根元端部と、
前記回転側構成要素とワイピング接触するための自由端部と、
前記根元端部から前記自由端部まで延びる上流側縁部と、
前記根元端部から前記自由端部まで延びる下流側縁部と、
を有するリーフ要素を複数備え、
前記リーフ要素は、前記自由端部へ向かってテーパが付けられており、前記回転軸線に垂直な直線に対する前記上流側縁部および下流側縁部のテーパ角が、不作動状態において２度から４５度の間にある、リーフシール。
【請求項２】
上流側および下流側のカバープレートを更に備え、各カバープレートは、前記リーフ要素に面した内壁を有している、請求項１記載のリーフシール。
【請求項３】
前記回転軸線に垂直な直線に対する前記上流側の内壁および下流側の内壁の一方または両方の角度が２度から４５度の間にある、請求項２記載のリーフシール。
【請求項４】
前記回転軸線に垂直な直線に対する前記上流側および下流側縁部の最小テーパ角が５度である、請求項１記載のリーフシール。
【請求項５】
前記上流側または下流側のカバープレートの内壁の一方または両方が、凸状部分および凹状部分の一方または両方を含んでいる、請求項２記載のリーフシール。
【請求項６】
前記リーフ要素の上流側および下流側縁部の一方または両方が、凸状部分および凹状部分の一方または両方を含んでいる、請求項５記載のリーフシール。
【請求項７】
前記凸状部分と前記凹状部分とが半径方向に連続している、請求項６記載のリーフシール。
【請求項８】
前記上流側または下流側のリーフ要素の縁部の少なくとも一方が、隣り合う前記内壁の対応する部分から間隙によって隔てられており、前記間隙は、前記内壁の半径方向の長さに沿って実質的に一定である、前記請求項のうちいずれか一項に記載のリーフシール。
【請求項９】
少なくとも１つのリーフ要素は、半径方向に延びる中央線について非対称である、前記請求項のうちいずれか一項に記載のリーフシール。
【請求項１０】
前記上流側および下流側のカバープレートの内壁の配置は、半径方向に延びる中央線について非対称である、請求項２から９のいずれか一項に記載のリーフシール。
【請求項１１】
前記カバープレートは軸線方向の厚さを有しており、前記上流側および下流側のカバープレートの一方または両方は、前記根元端部でより厚い断面を有するようにテーパが付けられている、請求項２から１０のいずれか一項に記載のリーフシール。
【請求項１２】
少なくとも１つのリーフ要素は、当該リーフ要素の周方向の厚さを横切る圧力の均等化のための開口を含んでいる、前記請求項のうちいずれか一項に記載のリーフシール。
【請求項１３】
前記開口は、三角形またはＶ字形の形状である、請求項１２記載のリーフシール。
【請求項１４】
前記リーフ要素は、少なくとも１つのラビリンス歯を含んでいる、前記請求項のうちいずれか一項に記載のリーフシール。
【請求項１５】
当該シールの外部にある圧力源と流体連通した空洞を更に備える、前記請求項のうちいずれか一項に記載のリーフシール。
【請求項１６】
当該リーフシールの任意の縁部が、円周面によって画定される断面において丸められている、前記請求項のうちいずれか一項に記載のリーフシール。
【請求項１７】
静止側構成要素と、回転軸線を有する相対的回転側構成要素との間をシールするためのリーフシールであって、使用時に、互いに軸線方向に隔てられた、より高圧の上流側区画と、より低圧の下流側区画とを画成し、
前記静止側構成要素に対して取り付けるための根元端部と、
前記回転側構成要素とワイピング接触するための自由端部と、
前記根元端部から前記自由端部まで延びる上流側縁部と、
前記根元端部から前記自由端部まで延びる下流側縁部と、
を有するリーフ要素を複数備え、
前記リーフ要素における、前記根元端部での前記上流側縁部と下流側縁部との間の幅がａであり、前記自由端部での前記上流側縁部と前記下流側縁部との間の幅がｂであってｂ＜０．５ａである、リーフシール。
【請求項１８】
少なくとも１つのリーフ要素における前記上流側縁部および下流側縁部の一方または両方の、前記回転軸線に垂直な直線に対するテーパ角が、２度から４５度の間にある、請求項１７記載のリーフシール。
【請求項１９】
上流側および下流側のカバープレートを更に備え、各カバープレートは、前記リーフ要素に面した内壁を有しており、前記回転軸線に垂直な直線に対する前記上流側の内壁および下流側の内壁の一方または両方の角度が２度から４５度の間にある、請求項１７記載のリーフシール。
【請求項２０】
前記上流側および下流側の内壁の一方または他方と、前記リーフ要素の対応する前記縁部との、前記回転軸線に垂直な直線に対する角度の差が１０度未満である、請求項１９記載のリーフシール。
【発明の詳細な説明】
【技術分野】
【０００１】
この発明は、リーフシールに関する。特に、この発明は、ガスタービンエンジンで用いるためのリーフシールに関する。
【背景技術】
【０００２】
図１を参照すると、本発明を含み得るダクテッドファン・ガスタービンエンジンが、全体的に符合１０で示されると共に、主軸線である回転軸線Ｘ−Ｘを有している。そのエンジンは、軸流方向へ直列に、吸気口１１、推進ファン１２、中圧圧縮機１３、高圧圧縮機１４、燃焼装置１５、高圧タービン１６、および中圧タービン１７、低圧タービン１８、およびコアエンジン排気ノズル１９を備えている。ナセル２１が、エンジン１０を概して取り囲むと共に、吸気口１１、バイパスダクト２２、およびバイパス排気ノズル２３を画成している。
【０００３】
運転中、吸気口１１へ入る空気が、ファン１２によって加速されて、２つの空気流：中圧圧縮機１３内への第１の空気流Ａと、バイパスダクト２２を通過して推進スラストをもたらす第２の空気流Ｂとを造り出す。中圧圧縮機１３は、その中へと差し向けられた空気流Ａを、圧縮してから、更なる圧縮が行われる高圧圧縮機１４へと送り出す。
【０００４】
高圧圧縮機１４から排気された圧縮空気は、燃焼装置１５内へと差し向けられて、そこで燃料と混合され、その混合気が燃焼させられる。その結果として生じる高温の燃焼生成物は、それから通過しつつ膨張し、それにより高圧、中圧、および低圧の各タービン１６，１７，１８を駆動してから、ノズル１９を通じて排気されて、付加的な推進スラストをもたらす。高圧、中圧、および低圧の各タービンは、それぞれ、適当な相互連結シャフトによって、高圧、中圧の各圧縮機１４，１３、およびファン１２を駆動する。
【０００５】
このエンジンは、例えば相互連結シャフトと、このシャフトのためのケーシングとの間に設置される、１つないし複数のシールを有していてもよい。そのようなシールは、いわゆるリーフシールであってもよい。
【０００６】
一般的に、リーフシールは、互いに相対的に回転する２つの構成要素同士の間のシール（密封）を形成するのに使われる。これは、高圧と低圧の区画同士を画するところの圧力境界をもたらすためである。その圧力境界には、多数の、典型的に矩形のリーフ（薄板）が設けられる。それらのリーフは、シールの外周を巡る放射状の全体に、定められた角度で保持されている。リーフは、可撓性であって、互いに相対的に回転する２つの構成要素同士の半径方向位置の変化を吸収することのできる半径方向のコンプライアンス（撓み性）を可能としている。リーフ同士は、有効な圧力境界をもたらすのに十分な密度に束ねられるが、リーフの使用は必然的に、リーフ間の間隙へと、そしてシールを横切る空隙率へと繋がってしまう。
【０００７】
図２は、リーフ３２の束を備えた典型的なリーフシール３１の一部分の破断斜視図を模式的に示している。図３ａは、回転シャフトの回転軸線に沿って見た、リーフシールの一部分の端面図を示している。図３ｂは、単一のリーフ３２の正面図を示している。
【０００８】
各リーフ３２は、プレートの形態であって、それぞれ根元端部４０、自由端部４１、軸線方向幅ｗ、および厚さｔを有している。リーフは、根元端部４０でスペーサ要素３３と互い違いになっていて、ハウジングの支持リング３４に対して固定されている。ハウジングは典型的に、前部３５ａ（高圧側）と後部（低圧側）３５ｂの各剛性環状カバープレートをも備えている。リーフ３２の自由端部４１は、端部縁３６を、回転側構成要素（シャフト）の表面３７の方へ向けている。回転側構成要素は通常、矢印３８で示す方向へ回転する。リーフ３２、特にリーフ３２の自由端部縁３６は、アッセンブリ３１を横切るシールを造り出すために、表面３７に対して作用する。各リーフ３２は、表面３７の回転に半径方向に順応するために、十分なコンプライアンスを持っている。その結果、良好なシール効果が生み出される。スペーサ３３は、図示するように、通常はリーフ３２と表面３７との間に傾斜角がある状態で、適切にリーフ３２を表面３７の方へ向けるのに可撓性を利用できることを保証する。スペーサ３３は、互いに隣り合うリーフ３２の作動部分４１同士の間に、リーフ間の隙間３９を形成するのにも役立つ。
【０００９】
漏洩流は、自由端部縁３６がロータ表面３７に当たるように半径方向内側へ圧迫されるリーフのブローダウン（圧し下げ）の一因となる可能性がある。自由端部縁３６と表面３７との間の良好なシールを造り出すのに、限定された量のブローダウンは望ましいが、過剰なブローダウンは、過剰なロータ荷重や、シールとロータの摩耗を引き起こしてしまう。端部縁および／またはロータの摩耗は、シールの有効寿命を限定してしまう可能性がある。
【００１０】
ブローダウンの量を制御するのに役立てるよう、様々な構成のリーフシールが提案されてきた。これの一例が、ＷＯ０６０１６０９８（特許文献１）に記載されている。それは、縁の面取りのあるリーフ、および向かい合うカバープレート上の関連構造を実施するものであり、それら２つの間隔が、リーフの半径方向撓みによって左右される制御隙間を画成している。
【００１１】
リーフシールに伴う、もう１つの潜在的な問題は、切れ目なく続くリーフを使うことの結果である、不均一な周方向の圧力分布である。これを軽減するのを助けるように、圧力均等化構造を導入して、切れ目のないリーフ要素を横切る力の差を減らすのに役立てるのが有利となり得る。
【００１２】
圧力の均等化をもたらす１つの方法は、リーフの作動部分に１つないし複数の開口を付け加えて、リーフの２つの側面同士の間の流れをもたらすことである。このことは、開口付近で圧力を均等化してリーフ上の荷重を減少させるのに有効な可能性はあるが、それらの開口はリーフ応力の増大に繋がるものである。これは、圧力の均等化で成し遂げられる如何なる利益をも大きく打ち消してしまう。
【００１３】
周方向の圧力均等化を首尾良く達成すべきならば、開口は、応力を上昇させる構造の使用を避けると共に、リーフ要素の軸線方向長さに比べて小さくなっている必要がある。しかしながら、標準的な矩形断面のリーフは、使用時の圧力荷重によって、根元端部に大きな荷重を受けてしまう。それ故、この形状の断面に穴を含むことは、一般的には問題がある。
【先行技術文献】
【特許文献】
【００１４】
【特許文献１】国際公開第０６０１６０９８号パンフレット
【発明の概要】
【００１５】
本発明の目的は、改良されたリーフシールを提供することである。
【００１６】
本発明は、静止側構成要素と、回転軸線を有する相対的回転側構成要素との間をシールするためのリーフシールであって、使用時に、互いに軸線方向に隔てられた、より高圧の上流側区画と、より低圧の下流側区画とを画成し、静止側構成要素に対して取り付けるための根元端部と、回転側構成要素とワイピング接触（wiping contact）するための自由端部と、根元端部から自由端部まで延びる上流側縁部と、根元端部から自由端部まで延びる下流側縁部とを有するリーフ要素を複数備え、リーフ要素における、根元端部での上流側縁部と下流側縁部との間の幅がａであり、自由端部での上流側縁部と下流側縁部との間の幅がｂであってｂ＜０．５ａである、リーフシールを提供する。
【００１７】
リーフ要素のテーパ（先細形状）によって、有利なことに、軸線方向の圧力降下に耐える必要のないリーフ要素の自由端部から材料が取り除かれる。更に、そのテーパは、リーフ要素の根元端部を、所与の重量に対してより幅広くすることを可能とする。これは、リーフが、圧力均等化構造を含んだり、半径方向の撓みに対する弾性復元力がより大きくなるようにしたりすることができる、ということを意味する。
【００１８】
ｂは、０．１ａ＜ｂ＜０．５ａの範囲内にあることが好ましい。
【００１９】
少なくとも１つのリーフ要素における上流側縁部および下流側縁部の一方または両方の、回転軸線に垂直な直線に対するテーパ角が、２度から４５度の間にあってもよい。回転軸線に垂直な直線に対する上流側縁部のテーパ角は、５度から２０度の間にあるのが好ましい。回転軸線に垂直な直線に対する下流側縁部のテーパ角は、５度から２０度の間にあるのが好ましい。
【００２０】
リーフシールは、上流側および下流側のカバープレートを更に備えていてもよい。各カバープレートは、使用時にリーフ要素に面する内壁を有していてもよい。回転軸線に垂直な直線に対する上流側の内壁および下流側の内壁の一方または両方の角度が２度から４５度の間にあってもよい。回転軸線に垂直な直線に対する上流側の内壁の角度は、５度から２０度の間にあるのが好ましい。回転軸線に垂直な直線に対する下流側の内壁は、５度から２０度の間にあるのが好ましい。
【００２１】
上流側および下流側の内壁の一方または他方と、リーフ要素の対応する縁部との、回転軸線に垂直な直線に対する角度の差が１０度未満であってもよい。上流側および下流側の内壁の一方または他方と、リーフシールの対応する縁部との、回転軸線に垂直な直線に対する角度の差は５度未満であることが好ましい。上流側または下流側のカバープレートの一方または両方の内壁と、リーフシールの対応する縁部との角度は、リーフシールが不作動の低温状態にあるか、或いは所与の用途による公称運転点ないし特定運転点にあるときには、実質的に同じであってもよい。
【００２２】
リーフ要素の上流側および下流側縁部の一方または両方が、凸状部分および凹状部分の一方または両方を含んでいてもよい。
【００２３】
上流側または下流側のカバープレートの内壁の一方または両方が、凸状部分および凹状部分の一方または両方を含んでいてもよい。
【００２４】
上流側または下流側のリーフ要素の縁部の少なくとも一方が、隣り合う内壁の対応する部分から間隙によって隔てられていてもよい。間隙は、内壁の半径方向の長さに沿って実質的に一定であってもよい。
【００２５】
間隙は、自由端部での間隔に比べて、根元端部で軸線方向により大きくなっていてもよい。或いは、間隙は、自由端部での間隔に比べて、根元端部で軸線方向により小さくなっていてもよい。
【００２６】
少なくとも１つのリーフ要素は、半径方向に延びる中央線について非対称であってもよい。上流側および下流側のカバープレートの内壁の配置は、半径方向に延びる中央線について非対称であってもよい。
【００２７】
カバープレートは軸線方向の厚さを有しており、上流側および下流側のカバープレートの一方または両方は、根元端部でより厚い断面を有するようにテーパが付けられ（先細にされ）ていてもよい。
【００２８】
少なくとも１つのリーフ要素は、当該リーフ要素の周方向の厚さを横切る圧力の均等化のための開口を含んでいてもよい。開口は、根元端部の近くにあってよい。開口は、リーフ要素における周方向の一方の面から、周方向の他方の面まで、リーフ要素の周方向の厚さを貫通していてもよい。開口は、リーフ要素の結合される支持プレートから延びていてもよい。開口によって根元端部が二股に分かれた、実質的にＶ字形ないしＹ字形のリーフ要素をもたらすように、開口が三角形状になっていてもよい。
【００２９】
リーフ要素は、少なくとも１つのラビリンス歯を含んでいてもよい。ラビリンス歯は、開口内にあってもよい。その開口は、圧力均等化開口であってもよい。ラビリンス歯は、半径方向の断面内で対称であってもよい。ラビリンス歯は、開口内で中央に置かれていてもよい。或いは、ラビリンス歯は、その上流側または下流側に開いた通路をもたらすように、開口内で軸線方向に偏倚させられていてもよい。ラビリンス歯は、リーフ要素の取り付けられる支持プレートから延びるリブやフランジであってもよい。共通の開口内に複数のラビリンス歯があってもよい。複数のラビリンス歯同士が、互いに軸線方向に隔てられ、半径方向線によって分けられていてもよい。複数のラビリンス歯が、半径方向線について対称に配置されていてもよい。複数のラビリンス歯が、開口に対して軸線方向に偏倚させられたり、非対称に配置されたりしてもよい。
【００３０】
当該シールの外部にある圧力源と流体連通（流体が流通可能に連絡）した空洞を更に備えていてもよい。外部の圧力源は、シールに対して上流側の区域から持ってきてもよい。外部の圧力源は、空洞内に中圧をもたらすように計量供給されてもよい。中圧とは、シールの直ぐ上流側と下流側の区域によって境界付けられる範囲内にあるであろうことを意味する。空洞は、開口やラビリンス歯の直近にあってもよい。複数のラビリンス歯が存在する場合には、それら複数のラビリンス歯のうちの１つ以上によって空洞が部分的に画成されていてもよい。
【００３１】
当該リーフシールの任意の縁部が、円周面によって画定される断面において丸められていてもよい。リーフシールは、断面においてブルノーズ（隅丸）型、レーストラック（走路）型、または楕円形の形状を有していてもよい。リーフ要素は、一定な軸線方向の厚さを有していてもよい。半径方向の厚さは、変化していてもよい。半径方向の軸線に垂直な直線によって画定される平面内において、根元端部がより厚くなっていてもよい。
【００３２】
もう１つの態様において、本発明は、静止側構成要素と、回転軸線を有する相対的回転側構成要素との間をシールするためのリーフシールであって、使用時に静止側構成要素内で、互いに軸線方向に隔てられた、より高圧の上流側区画と、より低圧の下流側区画とを画成し、静止側構成要素に対して取り付けるための根元端部と、回転側構成要素とワイピング接触するための自由端部と、根元端部から自由端部まで延びる上流側縁部と、根元端部から自由端部まで延びる下流側縁部とを有するリーフ要素を複数備え、リーフ要素は、自由端部へ向かってテーパが付けられており、回転軸線に垂直な直線に対する上流側縁部および下流側縁部のテーパ角が、不作動状態において２度から４５度の間にある、リーフシールを提供する。
【００３３】
最小テーパ角は５度であってよい。上流側および下流側の縁部のテーパ角は５度から４５度の間にあってよい。テーパ角は２度から２０度の間にあってもよい。
【００３４】
当該シールは、ガスタービンエンジンで用いられてもよい。
【００３５】
ここで、以下の図面の助けを借りて、本発明の実施形態を説明することとする。
【図面の簡単な説明】
【００３６】
【図１】従来のガスタービンエンジンを示す図。
【図２】既知のリーフシールの一部分の破断斜視図。
【図３ａ】周囲がシールされる回転シャフトの回転軸線に沿って見た、リーフシールの一部分の端面図。
【図３ｂ】単一のリーフの正面図。
【図４】本発明によるリーフシールの断面図。
【図５】傾斜した内壁を伴うカバープレートを有したリーフシールを示す図。
【図６】本発明のリーフシールの寸法を示す模式的表現。
【図７】第１および第２の半径方向位置におけるリーフシールの寸法を示す模式的表現。
【図８】二次の幅プロファイルを有するリーフ要素の模式的表現。
【図９】凸状の縁プロファイルを有するリーフ要素の模式的表現。
【図１０】概して凹状である縁プロファイルを有したリーフ要素の模式的表現。
【図１１】凸状と凹状の部分を伴った縁プロファイルを有する対称型リーフ要素の模式的表現。
【図１２】凸状と凹状の部分を伴った縁プロファイルを有する非対称型リーフ要素の模式的表現。
【図１３】斜めになった非対称型のテーパ付きリーフ要素を示す図。
【図１４】もう１つの斜めになった非対称型のテーパ付きリーフ要素を示す図。
【図１５】離隔間隙に半径外側方向のテーパが付けられた、リーフ要素とカバープレートとの代替的構成を示す図。
【図１６】離隔間隙に半径内側方向のテーパが付けられた、リーフ要素とカバープレートとの代替的構成を示す図。
【図１７】対応するカバープレートを伴った凹状のシール要素を示す図。
【図１８】半径方向に凸凹状のカバープレートを伴っているが、離隔間隙が変化している、半径方向に凸凹状のシール要素を示す図。
【図１９】変化する離隔間隙をもたらす非対称型のカバープレート・プロファイルを示す図。
【図２０】テーパ付きのカバープレートを伴ったリーフシールを示す図。
【図２１】開口の形態の圧力均等化構造を有するリーフシールを示す図。
【図２２】軸流制限構造を有するリーフシールを示す図。
【図２３】相互間にフレア状に広がった離隔間隙をもたらすように互いに対応する凹状のリーフ要素と凸状のカバープレート内壁とを有したリーフシールを示す図。
【図２４】２部品型の軸流制限器を示す図。
【図２５】空気注入を伴う２部品型の軸流制限器を示す図。
【図２６】様々なレベルの丸められた縁部を明示するために、互いに異なるリーフ要素を切った複数の断面を示す図。
【発明を実施するための形態】
【００３７】
図４は、本発明によるリーフシール４１０の断面を示している。このシールは、多くの点で図２および図３ａ，ｂで説明したシールと同様であり、ハウジング４１４内に環状の配列で保持された複数のリーフ要素４１２を含んでいる。そのハウジング４１４は、静止側構成要素（図示せず）に対して取り付けるのに適している。各リーフ要素４１２（そのうち１つだけを示す）は、根元端部４１６、自由端部４１８、上流側縁部４２０、および下流側縁部４２２を含んでいる。根元端部４１６は、ハウジング４１４の支持プレート４２４に対して取り付けられている。上流側４２０および下流側４２２の各縁部の側方には、対応する剛性の環状カバープレート４２６，４２８が配置されている。
【００３８】
使用時には、複数のリーフ要素４１２が、シールの周囲を巡って、半径方向に対して定められた角度で配列されて、シールの上流側４２９から下流側４３０への空気流を妨げるバリア（境界）をもたらす。不平なリーフ要素４１２の自由端部４１８は、回転シャフト４３２との間のシール面４３４をもたらすように、その回転シャフト４３２とワイピング接触（wiping contact）状態にされている。個々のリーフ要素４１２同士の間の間隔は、根元端部４１６に向かって大きくなって行くが、これはシール４１０を横切る幾らかの空隙率や漏洩に繋がる。
【００３９】
リーフ要素４１２の半径方向の長さには、根元端部４１６の方が大きい軸線方向の幅を有した台形の形状をもたらすように、根元端部４１６から自由端部４１８へとテーパが付けられている。そのテーパは、半径方向に延びる中央線４３６について対称であって、自由端部４１８から、根元端部４１６での支持プレート４２４との接合部まで延びている。それは、上流側４２０および下流側４２２の各縁部の全長が、半径方向の中央線４３６に対して傾斜しているようなものである。上流側４２０および下流側４２２の各縁部は、均一なテーパをもたらすように真っ直ぐになっている。各リーフ要素４１２の周方向の厚さは均一である。
【００４０】
図４に示す実施形態のカバープレート４２６，４２８は、リーフ要素４１２に面した内壁４３８，４３９と、上流側４２９および下流側４３０の各圧力区画にそれぞれ面した外壁とを伴う厚さを有するように軸線方向に延びている。図４に示すカバープレート４２６，４２８の内壁４３８，４３９は、回転軸線４４２に垂直な平面内にあるように、その回転軸線４４２に対して垂直に配置されている。そのようにして、リーフ要素４１２のテーパ付き形状によって、リーフ要素の縁部４２０，４２２からそれぞれ内壁４３８を隔てる間隙４４４，４４６に、テーパが付けられている。
【００４１】
図５は、代替的なカバープレート５２６，５２８を伴ったリーフシール５１０を示している。それらのカバープレート５２６，５２８においては、内壁５３８，５３９が半径方向に対して傾けられてリーフシール５１０のテーパに対応している。この場合、内壁５３８，５３９と、テーパ付きのリーフ要素縁部５２０，５２２との間の離隔間隙５４４，５４６は、それぞれリーフ要素５１２の長さに沿って実質的に一定である。それらの離隔間隙は、シール５１０の運転条件によって左右されることとなり、使用中に変動し得る、ということを認識されたい。従って、用語「実質的に一定」は、近似として、また当該シールが、不作動の低温状態と、特定用途に要求されるような公称運転点ないし特定運転点とのいずれかにあるときのことと見做すべきである。
【００４２】
下記で説明する実施形態から分かることとなるように、リーフシールの上流側および下流側の各縁部に対する、対応するカバープレート内壁の角度と間隔との間の関係は、当該シールに要求される性能をもたらすように変えることができる。
【００４３】
本発明のリーフ要素のテーパと、カバープレートの外形とは、図６に示す諸寸法を用いて特徴付けることができる。かくして、軸線方向の幅ａを有する根元端部６１６と、軸線方向の幅ｂを有する自由端部６１８との模式図が示されている。リーフ要素６１２は半径方向の長さＬを有しているが、この半径方向長さＬは、長さＹのテーパ部分と、長さＸの真っ直ぐな部分とを含んで成ることができる。これは、図４および図５においてはテーパ部分Ｙがリーフ要素４１２，５１２の半径方向の全長を延びているのとは対照的である。リーフのテーパ角φは、回転軸線に垂直な直線（即ち半径方向の線６３６）との関係において定めることができ、カバープレート内壁の角度ψも同様である。
【００４４】
リーフ要素６１２のテーパによって、有利なことに、軸線方向の圧力降下に耐える必要のないリーフ要素６１２の自由端部６１８から材料が取り除かれる。更に、そのテーパは、リーフ要素６１２の根元端部６１６をより幅広くすることを可能とする。リーフシールにおける圧力荷重負荷容量は、リーフ要素の半径方向長さに沿った曲げモーメントＭ（ｚ）によって決まる。しかしながら、この曲げモーメントは、根元から先端へと、二次の関係式 Ｍ（ｚ）＝（１／２）（Ｐｄ−Ｐｕ）ｔ（Ｌ−ｚ）２ に従って減少する。ここで、Ｐｕは上流側圧力、Ｐｄは下流側圧力、ｔはリーフの厚さ、Ｌはリーフの長さ、ｚはリーフ要素の根元から考察箇所までの長さである。従って、曲げモーメントＭ（ｚ）は、根元端部からリーフ要素の長さに沿って減少する。これは、標準的な矩形のリーフ要素においては、自由端部での幅が、軸線方向の圧力による曲げモーメントに耐えるのに必要な幅よりも大きくなってしまう、ということを意味する。
【００４５】
テーパ付きのリーフ要素６１２を設けることは、曲げモーメントの減少の原因となる。但し、テーパの角度は、他の要因を用いて決定されてもよい。例えば、テーパ角φは任意選択的に、テーパ無しの同等なリーフ要素よりも幅の広い根元端部６１６を有するように増大させてもよい。このことは、より幅の狭い自由端部６１８の理由となるような付加的な強度、および、または、後で説明する図２１との関係で後述するような圧力均等化構造を収容するための付加的な周囲寸法をもたらし得る。
【００４６】
ａに対するｂの比率、並びに、リーフ要素６１２およびカバープレート内壁６３８，６３９のテーパ角は、特定の用途向けのものになるであろう、ということを認識されたい。有利な一実施形態において、ａに対するｂの比率は、ｂ＜ａ、より具体的にはｂ＜０．５ａとして規定することができる。但し、ｂは０．５ａから０．１ａの間にあることが好ましい。リーフ要素のテーパ角φは、２度から４５度までの範囲内にあってよいが、５度から２０度の間にあることが好ましい。カバープレートがテーパ付きの内壁６３８，６３９を有する場合には、そのテーパ角ψは、リーフ縁部のテーパ角φと同等であってもよく、そのようにして、２度から４５度までの範囲内にあってよいが５度から２０度の間にあることが好ましい。但し、２つの角度φ，ψに差を設けることが有利となり得る。この場合、それらの角度φ，ψは、互いに１０度ほども異なっていてよいが、５度以内が好ましいであろう。テーパの延びる長さＹは、これもまた特定の用途向けのものになるが、カバープレート６２６，６２８の半径方向範囲よりも大きくなるのが一般的である。
【００４７】
本発明において考察されるリーフ要素の典型的な長さは、およそ２０ｍｍから４０ｍｍの間である。ここで、ａは、およそ４ｍｍから１５ｍｍの間であってよく、ｂは１ｍｍから４ｍｍの間であってよい。但し、他の寸法を有するリーフ要素が本発明の範囲内にあってもよい、ということを認識されたい。
【００４８】
一般的に、リーフシールにおけるカバープレートの内壁は、当該シールを通る空気流の漏洩と、その結果としてリーフ要素に生じるブローダウンやリフトアップ（圧し上げ）の力とを制御するように、リーフ要素との関係において設けられる。かくして、矩形のリーフ要素を伴った従来のシールにおいては、特定の用途にとって望ましいレベルのブローダウンやリフトアップをもたらすように、カバープレートの半径方向長さと、リーフ要素からの隔たりとが決められる。
【００４９】
ブローダウンに対する２つの主な誘因：一方の誘因は、リーフの厚さを横切る圧力の不釣合、他方の誘因は、リーフ束への進入時に流れ方向が変化する際の流れの運動量変化、が存在する。これらの概念は、本明細書に援用される「フランチェスキーニ，Ｇ．、ジョーンズ，Ｔ．Ｖ．、およびガルスピー，Ｄ．Ｒ．Ｈ．、フィラメントシールにおけるブローダウンの進歩的理解、ターボ機械ジャーナル１３２（２０１０年）０４１００４、ＴＵＲＢＯ−０９−１０２８（Franceschini, G., Jones, T.V., and Gillespie, D.R.H, Improved Understanding of Blow-Down in Filament Seals, Journal of Turbomachinery 132(2010)041004, TURBO-09-1028）」並びに「フランチェスキーニ，Ｇ．、ジョーンズ，Ｔ．Ｖ．、およびガルスピー，Ｄ．Ｒ．Ｈ．、フィラメントシールにおけるブローダウンの進歩的理解、ＡＳＭＥターボ博覧会２００８：陸上、海上、および空中用の動力、ベルリン、独国、２００８年、ＡＳＭＥ、ＧＴ２００８−５１１９７（Franceschini, G., Jones, T.V., and Gillespie, D.R.H, Improved Understanding of Blow-Down in Filament Seals, in ASME Turbo Expo 2008: Power for Land, Sea and Air, Berlin, Germany, 2008, ASME, GT2008-51197）」において議論されている。
【００５０】
テーパ状になっている内壁との関係においてテーパ付きのリーフを有していることは、ブローダウンの制御にとって特に有利である。それによって、使用時にリーフ要素が半径方向に撓む際に、カバープレートの内壁とリーフ要素の縁部との間のそれぞれの離隔間隙が調節されることが可能となるからである。即ち、リーフ要素が半径方向に撓む際に、そのリーフ要素が傾斜したカバープレートへ近付くように動いて、離隔間隙が減少する。流体の流速が低下するにつれて、運動量変化のブローダウンの期間が減少することとなる。また、カバープレートの間隙が狭いほど、その隙間の中で圧力がより大きく降下し、かくしてリーフに渡って降下する圧力がより小さくなるので、圧力の不釣合の期間が減少する。かくして、ブローダウンは減少することとなる。
【００５１】
リーフとカバープレートとの間の真っ直ぐで平行な間隙は、矩形のリーフ要素にとっては、様々なレベルのブローダウンやリフトアップの力を被るときに、それらのリーフ要素がロータへ向かって、或いはロータから遠ざかって撓むことを可能とするために必要なものである。しかしながら、一様な半径方向へ延びる間隙を有することは、リーフ要素とカバープレートとの半径方向の間隔が常に一定であるということを意味する。そして、撓みが生じる際にリーフシールのブローダウンやリフトアップの挙動を変化させることができるように当該間隙を調節することが有利となり得る。
【００５２】
図７に示すように、テーパ付きのリーフ要素６１０とカバープレート内壁６３８の場合における間隙Ｇの狭まりが、リーフのテーパ角φの正弦によって、リーフ要素６１２の局所的な半径方向撓みに関連付けられる。破線６２０ａは、第１組の運転パラメータの下での、カバープレート内壁６３８とリーフ要素６１２の上流側縁部６２０との間の初期の離隔間隙Ｇを示している。第２組の運転パラメータの下では、新たな離隔間隙Ｇ＋ΔＧをもたらすように、リーフ要素６１２がある量Ｂだけ半径方向に撓む。Ｂの半径方向撓みを引き起こすブローダウンは、ΔＧ＝Ｂｓｉｎ（φ）に帰結することとなる、ということを認めることができる。
【００５３】
先に説明した図面に示すリーフ要素のテーパは、均一なテーパを有していて、真っ直ぐな縁のリーフになっている。しかしながら、テーパ角や全体的な縁のプロファイル形状は、必要な負荷容量や、半径方向撓みに対する調整された応答性を与えられるようにするのが有利になり得る、ということを認識されたい。図８から図１２は、リーフのプロファイルについての幾つかの代替的な構成を与えている。
【００５４】
図８は、二次の幅プロファイルを有するリーフ要素８１２を示している。その二次の幅プロファイルは、リーフ要素８１２の半径方向長さに沿った曲げモーメントの減少に、およそ対応している。ここで、当該プロファイルは、ｗ＝ｃ１ｚ２＋ｃ２ｚ＋ｃ３で記述される。この場合、ｚはリーフ要素の自由端部６１８から測った距離である。ｃ２＝０である特別な場合には、ｃ３＝ｂおよびｃ１＝（ａ−ｂ）／Ｌ２と表すことができる。この場合、Ｌはリーフの長さである。
【００５５】
図９は、全体的に凸状なリーフ要素９１２のプロファイルを示している。このプロファイルにおいて、上流側９２０および下流側の縁部９２２は、半径方向長さに沿って凸状になってはいるが、必ずしも二次（曲線）的なものではない。図１０は、全体的に凹状なリーフ要素１０１２のプロファイルを示している。このプロファイルにおいて、上流側１０２２および下流側１０２４の各縁部は、半径方向長さに沿って凹状になってはいるが、必ずしも二次（曲線）的なものではない。図１１は、半径方向に連続した凹状１１２０ａおよび凸状１１２０ｂの部分を有したリーフ要素１１１２のプロファイルを示している。各凸状部分は、根元端部１１１６へは増大した強度を与える一方で自由端部１１１８では減少した幅を有するように、根元端部１１１６へ向かって配置されている。
【００５６】
図８から図１１に示すプロファイルは全体的に、半径方向に延びる中央線について対称である。図１２に示すリーフ要素１２１２は、凸状と凹状の部分を伴った非対称のプロファイルを有している。かくして、リーフ要素１２１２の上流側縁部１２２０は、根元端部１２１６で凹状部分１２２０ａをもたらし、半径方向に連続して自由端部１２１８では凸状部分１２２０ｂを伴っている。下流側縁部１２２２は、根元端部１２１６に凸状部分１２２２ａを含み、半径方向に連続して自由端部１２１８では凹状部分１２２２ｂを伴っている。
【００５７】
認識されることとなるように、シールの性能を調節するためにリーフ要素のプロファイルを変えるだけでなく、リーフ要素とカバープレートとの間の関係を変更することもできる。このことは、カバープレートの内壁や外壁との相対的な軸線方向間隔を調節したり、それらの内壁や外壁のプロファイルを調節したりすることを含んでいてもよい。
【００５８】
図１３は、傾けられた非対称型のテーパ付きリーフ要素１３１２を示している。このリーフ要素１３１２において、テーパはｂ＜０．５ａの限定内の中で与えられるが、リーフ要素１３１２の縁部１３２２，１３２４同士の間の中央線１３３６ａが、ロータの半径方向線１３３６に対して傾けられている。その傾きは、下流側縁部はロータの回転軸線１３４２に対して垂直であって、上流側縁部１３２２が傾斜しているようなものである。
【００５９】
図１３に示す実施形態において、カバープレートの内壁１３３８，１３３９は両方とも垂直である。そのような構成は、上流側および下流側における半径方向の撓みに対して一定不変である。但し必要ならば、傾斜した上流側カバープレートを用いて、離隔間隙や流れの制限に幾らかの変化を与えてもよい。
【００６０】
リーフにおける如何なる高応力箇所をも減少させるように、リーフ要素１３１２の角部が和らげられて、即ち丸められていることに留意されたい。既述の実施形態のいずれにおいても、リーフ要素の自由端部における角部を丸めるのが有利となり得る、ということを認識されたい。
【００６１】
図１４は、図１３に示したものと類似した、もう１つの傾けられた非対称型のテーパ付きリーフ要素１４１２を示している。但し、このリーフ要素１４１２においては、リーフ１４１２の中央線１４３６ａの傾きが、同様のアスペクト比のリーフ１４１２に対して、より急になっている。このことは、リーフ１４１２の上流側１４２０および下流側１４２２の各縁部が、シールの上流側端部に向かって傾斜しているが、必要なテーパ比をもたらすように互いに異なる角度で傾斜している、という結果になる。かくして、上流側縁部１４２０は回転軸線に垂直な線に対して角度αを成し、下流側縁部は、β＜αである角度βを成しているが、共通の方向、即ち上流側に傾いている。図１３の場合と同様、カバープレート１４２６，１４２８は両者とも、回転軸線１４４２に垂直な平面内に置かれている。このことは、テーパ付きのリーフ要素１４１２との組合せにおいて、上流側縁部１４２２上では根元端部１４１６に向かって、下流側縁部１４２４上では自由端部１４１８に向かってテーパの付いた（先細になる）離隔間隙をもたらす。
【００６２】
図１５および図１６は、代替的なリーフ要素１５１２，１６１２およびカバープレート１５２６，１６２６，１５２８，１６２８の構成を示している。この構成においては、離隔間隙１５４４，１６４４，１５４６，１６４６に、それぞれ半径方向外側と半径方向内側の方向へテーパが付けられている。かくして、図１５は、カバープレート内壁１５３８のテーパ角ψよりも大きいテーパ角φを有するリーフ要素１５１２を示している。従って、離隔間隙１５４４は、リーフ要素１５１２の自由端部１５１８でより大きくなるように、自由端部１５１８から根元端部１５１６へ向かってテーパが付いている。図１６はこの構成とは反対のものを与えており、角度ψの方が、リーフ要素のテーパ角φよりも大きくなっている。従って、離隔間隙１６４４は、根元端部１６１６でのより広い間隙から、自由端部１６１８での狭い間隙へと向かってテーパが付いている。
【００６３】
図１７は、図９に示したのと同様な凹状のリーフ要素１７１２を、対応するカバープレートと共に示している。リーフ要素１７１２の上流側および下流側の各縁部を隔てる間隙１７４４，１７４６は、カバープレートの長さに沿って実質的に一定である。
【００６４】
図１８は、凸凹状のリーフ要素１８１２を、凸凹状のカバープレート１８２６，１８２８と共に示している。但し、これらはリーフ要素の対応する縁部とカバープレートとの間に変化する間隙をもたらしている。
【００６５】
図１９は、非対称型のカバープレート１９２６，１９２８を有したリーフ要素１９１２を示している。それらのカバープレート１９２６，１９２８は、リーフ要素１９１２の上流および下流側上に、変化する離隔間隙１９４４，１９４６をもたらしている。かくして、真っ直ぐな両縁部を伴って対称にテーパの付いたプロファイルを有するリーフ要素１９１２と、凸状の内壁１９３８，１９３９を伴ったカバープレート１９２６，１９２８とが設けられている。上流側の内壁１９３８の曲率は、下流側の内壁１９３９よりも小さくなっている。それは、上流側の内壁１９３８とリーフ要素１９１２との間の最大間隔が、下流側の最大間隔よりも小さくなるようなものである。何れの場合も、最大間隔は、リーフ要素１９１２の自由端部１９１８に向かって与えられている。それは、半径方向の撓みが生じているとき、根元端部へ向かって離隔間隙の絞りがもたらされるようなものである。
【００６６】
図２０は、テーパ付きのカバープレート２０２６，２０２８を伴ったリーフシール２０１２を示している。それは、軸線方向に延びる幅が、カバープレート２０２６，２０２８の根元端部２０１６へ向かって広がり、自由端部２０１８へ向かって狭まるようなものである。当該シールは、図示の実施形態では対称である。但し、適切な場合には、既述の実施形態の何れかにテーパ付きのカバープレートを設けてもよい、ということを認識されたい。
【００６７】
図２１は、開口２１５０の形態の圧力均等化構造を有したリーフシール２１１２を示している。上述したように、リーフ要素２１１２は、使用時には、自由端部２１１８がぎりぎりまで近接するか、或いは直接的に接触していてもよい。従って、リーフ要素２１１２のシール面における相対的な空隙率は、根元端部２１１６と比較したとき、より低くなっているのが一般的である。根元端部２１１６は、あまりシール機能を果たしていないので、リーフ要素を貫く周方向の流れを許容する何らかの構造を含んでいて、それによりリーフ要素を横切る幾らかの圧力均等化をもたらすことが有益である。このことは、ブローダウンや、流れにより引き起こされる他の力を減少させるのに有利な可能性がある。かくして、図２１に見られるように、リーフ要素２１１２の根元端部２１１６は、長く延びたスロットの形態の開口２１５０を含むことができる。そのスロットの形態の開口２１５０は、リーフ２１１２の根元端部２１１６から、半径方向へ延びるリーフ２１１２の中央線２１３６に沿って、半径方向内側へ延びている。スロット２１５０は、リーフ要素２１１２の長さに沿って約５分の２の距離を延びており、鈍らせた、即ち丸められた頂部を伴う概して三角形ないしＶ字形の形状になっている。但し、当該開口の半径方向長さは、リーフ要素の長さの約５分の３から５分の１によって限度付けられた範囲内にあるかもしれない。Ｖ字の角度は、テーパと同様である。それは、当該スロットが２つのアーム２１５２ａ，ｂを画成していて、それらのアーム２１５２ａ，ｂが、リーフ要素２１１２の中央部分から支持プレート２１２４まで延びて、均一な幅を有しているようなものである。使用時には、開口２１５０が、リーフ要素２１１２の周方向両側での圧力均等化を助ける空気流の通路をもたらす。このことは、ブローダウンの低減に役立つことができる。
【００６８】
図２２は、リブの形態の軸流制限器ないし固体バリア（障壁）２２６０がスロット２２６２内に設けられた、図２１に示すシールの改変例を示している。そのリブは、スロット内の中央に配置されて漏洩空気に対するより蛇行した経路をもたらすように、シャフトに向かって半径方向内側へ延びている。図２２に示す構成において、リブは、自らが貫通している開口２２６２に概して対応する断面を有した、鈍らせたラビリンス歯とみなすことができる。それは、自由端部の端の方へより大きな間隙がある状態で、リブの両側に沿って実質的に均一な離隔間隙が存在するようなものである。自由端部の方のより大きな間隙は、半径方向の撓みのための幾らかの間隔をもたらすと共に、リーフを横切る幾らかの圧力均等化をもたらしてもくれる。リブと開口との他の形態も可能ではあるが、大抵の用途において、固体障壁２２６０は、シールの半径方向のコンプライアンスを容易にするように、シールの半径方向の移動量を上回る半径方向の間隔を有することとなる。更に、リブは、非対称な配置をもたらすように、開口内で軸線方向に偏倚されていてもよい。その非対称な配置においては、圧力均等化の目的のために、一方の側により大きな開口がもたらされる。更に、軸線方向に偏倚されたリブは、片寄ったリフトアップやブローダウンの応答性をもたらし得る。その片寄ったリフトアップやブローダウンの応答性は、特定の用途に対しては有利となり得るのである。
【００６９】
各リーフが圧力均等化開口を有する場合には、当該リブが、支持プレートから延びる（任意選択的に支持プレートと一体的に形成される）環状リブによってもたらされてもよい、ということを認識されたい。
【００７０】
上述したリーフ要素の形状および対応するカバープレートの構成における諸変形例は、図２１との関係で説明した圧力均等化開口や、図２２で説明した軸線方向の圧力制限と組み合わせて用いられてもよい。かくして、これの一例として図２３は、凹状の上流側２３２０および下流側２３２２の各縁部を有した対称型のリーフ要素２３１２と、凸状の内壁を有したカバープレート２３２６，２３２８とを示している。各内壁は、リーフ要素の各縁部よりも大きな曲率を有しており、その結果、連続的に増大する離隔間隙をもたらすように、リーフ要素の半径方向長さに沿って間隔が大きくなって行っている。
【００７１】
図２４は、図１９に示したシールの変形例を与えている。ここで、シール２４１０は、支持プレート２４２４から自由端部２４１８へ向かって半径方向内側に延びる一対のリブ２４６０ａ，ｂの形態の軸流制限器２４６０を含んでいる。それらのリブ２４６０ａ，ｂは、リーフ要素２４１２の半径方向の中央線について対称に配置されると共に、断面内でテーパが付けられた各リブの平均幅に略等しい間隙によって互いに隔てられている。２つの部分での軸線方向の制限をもたらすことによって、開口内での乱流が引き起こされ、この乱流が、シールを横切る軸線方向の漏洩を妨げて減少させるように作用する。
【００７２】
図２５は、２部品型の軸流制限器２４６０ａ，ｂが、補助的な給気を受け入れるための取入口２４６６を含んでいる、図２４に示した構成の改変版を示している。使用時には、互いに軸線方向に隔てられたリブ同士の間の空洞へ空気が注入されるように、中圧給気源が当該空洞と流体連通状態にされる。中圧給気源は、シールの上流側に接続されるかもしれず、或いは、独立した圧力区画や、システムのインテグレータ（integrator）として役立つシールされたリザーバに接続されるかもしれない。そのような注入システムは、適切な場合には既述の実施形態の他のものと選択的に用いられてもよい、ということを認識されたい。
【００７３】
図２６は、互いに異なるリーフ要素を切った複数の断面２６１２ａ，ｂ，ｃを示している。リーフ要素２６１２ａ，ｂ，ｃのそれぞれは、当該リーフ要素２６１２ａ，ｂ，ｃの根元端部２６１６での縁部の丸め方の異なる度合いを表示している。かくして、ａ）に示す四角い断面と、ｂ）における、一定の曲率半径を伴った縁部を有するブルノーズ型ないしレーストラック型の断面と、ｃ）における楕円形状断面とがある。他の丸められた諸断面が本発明の範囲内にあると考えられる。
【００７４】
既述の実施形態に対する諸変形が、本発明の範囲内にあると考えられる。例えば、リーフ要素は、幅におけるテーパだけでなく厚さにおけるテーパも存在するように、先端部よりも根元端部の方で周方向により厚くなっていてもよい。テーパは、リーフの先端部が、リーフの根元部に向かってリーフ要素の更に上の所よりも僅かに厚くなるようなものであってもよい。適切なブローダウン応答性を達成するためには、厚さプロファイルが、直線的であったり、所望のプロファイルに設計されたりしていてもよい。シールが、ロータ、即ち半径方向内側の構成要素に対して固定される場合には、各リーフ要素の自由端部はより大径の所に置かれ、従って根元端部よりも自由端部の方で厚さがより大きくなっているべきである、ということを認識されたい。
【００７５】
互いに異なる諸実施形態において上述した様々な特徴は、明示的に述べていない場合であっても、可能ならば他の特徴とは無関係に実施されてもよく、また幾つかの有利な実施形態において様々な特徴が互いに組み合わされてもよい、ということを認識されたい。
【図１】
2013249844.tif 000003
【図２】
2013249844.tif 000004
【図３ａ】
2013249844.tif 000005
【図３ｂ】
2013249844.tif 000006
【図４】
2013249844.tif 000007
【図５】
2013249844.tif 000008
【図６】
2013249844.tif 000009
【図７】
2013249844.tif 000010
【図８】
2013249844.tif 000011
【図９】
2013249844.tif 000012
【図１０】
2013249844.tif 000013
【図１１】
2013249844.tif 000014
【図１２】
2013249844.tif 000015
【図１３】
2013249844.tif 000016
【図１４】
2013249844.tif 000017
【図１５】
2013249844.tif 000018
【図１６】
2013249844.tif 000019
【図１７】
2013249844.tif 000020
【図１８】
2013249844.tif 000021
【図１９】
2013249844.tif 000022
【図２０】
2013249844.tif 000023
【図２１】
2013249844.tif 000024
【図２２】
2013249844.tif 000025
【図２３】
2013249844.tif 000026
【図２４】
2013249844.tif 000027
【図２５】
2013249844.tif 000028
【図２６】
2013249844.tif 000029
【外国語明細書】
2013249844000001.pdf